(57)【特許請求の範囲】
【請求項１】
空気を導入することにより外側に膨出するカフが可撓性チューブの外周に具備されたカフ付きチューブであって、
前記カフは、空気の導入により外側に膨出する膨張可能部分と、
前記膨張可能部分と前記可撓性チューブとの間に介在され、内部に空気通路を備え、一端部が前記可撓性チューブの外周面に固結されるとともに、他端部が前記膨張可能部分の基部側に固結される柔軟な円盤状に形成された接合部分とを備え、
前記カフ内に前記空気を導入するための細管は、前記可撓性チューブの中に挿入され、該可撓性チューブの内壁に一体的に固着されているとともに、円盤状に形成された前記接合部分内に接着されており、
前記カフの前記膨張可能部分が空気の導入により膨出した状態で前記可撓性チューブに外力が加わったときに、前記膨張可能部分が変形するとともに前記接合部分の前記一端部側が前記可撓性チューブの移動に伴って移動することにより、前記可撓性チューブが移動しても、前記カフは所定の位置に固定されたままにされていることを特徴とするカフ付きチューブ。
【請求項２】
前記接合部分は、前記膨張可能部分と一体で形成されたものまたは別体で形成されたものであることを特徴とする請求項１に記載のカフ付きチューブ。
【発明の詳細な説明】
【技術分野】
【０００１】
本発明は、カフ付きチューブに関するもので、詳しくは、分離肺換気装置のように可撓性で変形自在なチューブの外周にカフが具備されたカフ付きチューブに関する。
【背景技術】
【０００２】
胸部外科手術などでは、例えば、特許文献１に開示されているように、患者の気管から気管支にかけて細い可撓性チューブを挿入して先端部を適正な位置に配置し片肺を分離し閉塞させ、かつ他の肺に空気を供給するため、可撓性チューブを挿入する必要が生じている。
【０００３】
この分離肺換気装置のように、患者に対して外科的処置を行うためのカフ付きチューブは、変形自在な可撓性チューブの先端部に取付けられたカフを適宜な位置まで挿入した後、そのカフに空気を送り込んで膨張させ、カフの外面を気管の内壁に圧接させることにより、カフの位置固定を図っている。
【０００４】
しかしながら、仮にカフ付きチューブを気管内に挿入した後に患者の体位が変化した場合などには、一旦固定したはずのカフの位置が動いてしまい、所望とする肺に空気を供給したり脱気したりすることができなくなる虞がある。仮に、カフの位置が動いてしまった場合には、可撓性チューブの位置を再度調整しカフを固定し直すという作業を行わなければならない。特に、分離肺換気装置のように、長さが短い気管支内でカフを膨出させる場合には、若干の位置ずれが生じた場合であっても再度の位置調整が必要となる。しかしながら、可撓性チューブの位置を調整する作業は、患者に対する負担増となり好ましくない。
【先行技術文献】
【特許文献】
【０００５】
【特許文献１】特表２００２−５０５９２５号公報
【発明の概要】
【発明が解決しようとする課題】
【０００６】
本発明は、このような実情に鑑み、一旦、可撓性チューブを挿入した後に患者の体位が変化したとしても、カフの位置ずれを可及的に防止することができるカフ付きチューブを提供することを目的としている。
【課題を解決するための手段】
【０００７】
上記目的を達成するための本発明に係るカフ付きチューブは、
空気を導入することにより外側に膨出するカフが可撓性チューブの外周に具備されたカフ付きチューブであって、
前記カフは、空気の導入により外側に膨出する膨張可能部分と、
前記膨張可能部分と前記可撓性チューブとの間に介在され、内部に空気通路を備え、一端部が前記可撓性チューブの外周面に固結されるとともに、他端部が前記膨張可能部分の基部側に固結される柔軟な円盤状に形成された接合部分とを備え、
前記カフ内に前記空気を導入するための細管は、前記可撓性チューブの中に挿入され、該可撓性チューブの内壁に一体的に固着されているとともに、円盤状に形成された前記接合部分内に接着されており、
前記カフの前記膨張可能部分が空気の導入により膨出した状態で前記可撓性チューブに外力が加わったときに、前記膨張可能部分が変形するとともに前記接合部分の前記一端部側が前記可撓性チューブの移動に伴って移動することにより、前記可撓性チューブが移動しても、前記カフは所定の位置に固定されたままにされていることを特徴としている。
【０００８】
このような構成であれば、例えば、気管や気管支にかけて予め固定されているカフに移動させようとする外力が患者の体位変換等により作用したとしても、膨張可能部分の変形でその外力を吸収することができ、膨張したカフが所定位置から移動してしまうことがない。
【０００９】
ここで、本発明では、前記接合部分は、前記膨張可能部分と一体で形成されたもの、または別体で形成されたもの、のいずれであっても良い。
【発明の効果】
【００１１】
本発明に係るカフ付きチューブによれば、カフが気管などの内壁に一旦固定された状態において、患者が体位を変えることがあるしても、外力により動いてしまうのは、可撓性チューブの本体部分だけであり、カフの膨張可能部分は元の位置から動くことはない。
【００１２】
また、本発明によれば、外力が解除されたときに、元の姿勢に戻ろうとする膨張可能部分の変形により、外力が作用する前の状態に戻すことができる。
よって、再度挿入し直すという作業がなくなり、患者に対する負担を少なくすることができる。
【図面の簡単な説明】
【００１３】
【図１】図１は本発明の一実施例によるカフ付きチューブの要部を示した斜視図である。
【図２】図２は、図１に示したカフ付きチューブのカフの断面図である。
【図３】図３（Ａ）、（Ｂ）は、図１に示したカフ付きチューブにおける接合部分の態様を示した概略断面図である。
【図４】図４は、図１に示したカフ付きチューブが、例えば気管内に移動不能に装着されたときの概略断面図である。
【図５】図５は、図１に示したカフ付きチューブに、患者の体位の変動などにより外力が作用して、チューブがＹ方向に動いてしまったときの概略断面図である。
【発明を実施するための形態】
【００１４】
以下、図面を参照しながら、本発明に係るカフ付きチューブについて説明する。
図１は本発明の一実施例に係るカフ付きチューブのカフ取付け部分の要部を示した概略斜視図で、図２は、図１のカフ付きチューブに採用されたカフの断面図である。
【００１５】
なお、図１，図２では、柔軟な材質からなるカフ内部に若干の空気が加わったときの状態で示している。
このカフ付きチューブ１では、可撓性チューブ２に貫通した孔３が形成され、可撓性チューブ２の外周部に、柔軟な材質からなるカフ４が取付けられている。
【００１６】
上記カフ４は、図２に示したように、内圧が加わることにより外側に膨出する膨張可能部分６と、この膨張可能部分６を可撓性チューブ２の外周に接合する接合部分７とを備えている。
【００１７】
このようなカフ付きチューブ１におけるカフ４の膨張可能部分６は、内方を若干膨らませた状態でいえば、全体として略円筒状に形成されている。しかしながら、この膨張可能部分６は、略円筒状に限定されるものではない。
【００１８】
チューブ２内には、このカフ４に空気などの所定のガスを導入するための細管５が挿入され、細管５の先端開口５ａは、図２に示したように接合部分７を介してカフ４の膨張可能部分６内に配置されている。なお、この細管５は樹脂接着などによりチューブ２の内壁に一体的に固着されていることが好ましい。あるいは、細管５が別体で形成されたものに限定されず、例えば、チューブ２の肉厚部分に軸方向に延びる孔として一体に形成されたものであっても良い。
【００１９】
このようなカフ付きチューブ１では、細管５あるいはそれに相当する孔を介して外部から空気などのガスを導入すれば、カフ４の膨張可能部分６が外側に膨出され、気管などの内壁に密着させることができる。
【００２０】
一方、カフ４の接合部分７は、円盤状に形成されている。そして、接合部分７内に上記細管５が挿入され、細管５は接着により接合部分７に固定されている。
一方、円盤状の接合部分７の一端部７ａは、可撓性チューブ２の外周面に接着されている。接合部分７の他端部７ｂは、膨張可能部分６の内周面と一体的に接続されている。
【００２１】
なお、円盤状の接合部分７は、カフ本体である膨張可能部分６から一体に形成されていても良いが、膨張可能部分６とは別体で形成されていても良い。膨張可能部分６と円盤状の接合部分７とが一体に形成されている場合は、一枚物の樹脂材を接合部分７で貼り合わせる。膨張可能部分６と接合部分７とが別体で形成されている場合は、後工程で接合部分７を膨張可能部分６に接着などで取付ければ良い。いずれにしても接合部分７は、可撓性チューブ２と膨張可能部分６との間に図２に示したように軸長Ｓを確保しかつ、図２の左右方向に膨張可能部分６の独立した移動を許容できる柔軟さを有していれば良い。
【００２２】
本実施例の図２に示した接合部分７の外形は、図３（Ａ）に示したように偏平板状すなわち直線的に形成されている。
しかしながら、接合部分７は、図３（Ｂ）に示したように偏平蛇腹状に屈曲して形成されていても良い。
【００２３】
図３（Ｂ）に示したように、偏平蛇腹状に形成された接合部分７’であれば、変形時にクッション性が具備されるので、図３（Ａ）に示した偏平板状の接合部分７よりも変形が容易になる。すなわち、偏平蛇腹状の接合部分７’であれば、可撓性チューブ２の軸方向あるいは軸方向に対して直角な方向あるいは斜め方向への伸び縮みが容易となる。
【００２４】
さらに、本発明では、膨張可能部分６の形状は、略円筒状に限定されない。例えば、図３あるいは図４に示したように、ドーナッツ状であっても良い。要は、膨張可能部分６の基端側に適宜な長さの接合部分７あるいは７’を備えていれば良い。
【００２５】
上記可撓性チューブ２は、シリコーンゴム、ポリ塩化ビニル、などからなり、適宜な柔軟性と自立保持性を有している。一方、カフ４は、例えば、ポリ塩化ビニルまたはポリウレタン等の材料からブロー成形や浸漬により形成されている。
【００２６】
なお、上記のように形成されたカフ付きチューブ１では、図示していないが、可撓性チューブ２の外部に引き出された細管５の他端開口から空気が導入されることにより、カフ４が外方に膨張される。また、同じ細管５を介して空気が外方に排出されることにより、カフ４は元の萎んだ状態に戻される。
【００２７】
さらに、可撓性チューブ２の頭部には、アダプタが接続され、このアダプタを介してチューブ２の内部に所定のガスが供給される。
このように形成されたカフ付きチューブ１では、可撓性チューブ２が患者の気管に沿うように若干曲げられた状態で図４において矢印Ｘ方向に挿入される。そして、可撓性チューブ２の先端部が所定位置に到達したことを確認した後、カフ４に空気を導入することにより、カフ４が膨張され、これにより、カフ４の外面が、例えば気管１４の内壁１５に圧接させる。このように、カフ４が気管１４の内壁１５に圧接されることにより、カフ付きチューブ１の患者に対する位置決めがなされる。そして、患者の気管１４が閉塞される。その後、図示しないアダプタから所定のガスを導入して、そのガスを可撓性チューブ２の先端開口から肺などに送出する。
【００２８】
今、図４に示したように、ドーナッツ状に形成されたカフ４を備えたカフ付きチューブ１０が略萎んだ状態で、図４の矢印Ｘで示したように、気管１４の内部に挿入され、ドーナッツ状のカフ４に空気が導入されている。そして、カフ付きチューブ１０の気管１４内での位置決めがなされている。
【００２９】
この状態から患者の体位が変化したりすると、例えば、患者の口元側（図４における矢印Ｘと反対側）に可撓性チューブ２が移動する。
このとき、図５に示したように、カフ４における膨張可能部分６が口元側に引っ張られるが、膨張可能部分６の最外方部分６ａが気管１４の内壁１５に圧接しているので、膨張可能部分６自体が口元側に引き込まれて移動することはない。
【００３０】
一方、カフ４の接合部分７における他端部７ｂは、可撓性チューブ２とともに矢印Ｙ方向に引っ張られ、接合部分７が傾斜した状態に変形する。このとき、接合部分７の一端部７ａも矢印Ｙ方向に伸びようとするが、膨張したカフ４は、最外方部分６ａが内壁１５に圧接されているので、全体として移動してしまうことはない。
【００３１】
その後、患者が体位をもどした時、あるいは可撓性チューブ２に加えられた外力が解除された場合には、接合部分７の伸縮力により一旦動いてしまったカフ４の接合部分７が元の姿勢に再び復帰する。すなわち、カフ４と接合部分７との姿勢が再び図４の姿勢に復元される。
【００３２】
このように、本実施例によれば、仮に患者の体位が変化したとしても、一旦固定した患者に対するカフ４の位置（膨張したカフ４の最外方部分６ａ）がずれてしまうことはない。
【００３３】
したがって、カフ４の位置を調整し直すという作業を行わなくて良い。
また、図４に示したように、膨張可能部分６が全体としてドーナッツ状であれば、長さが短い気管及び気管支の範囲でもカフ４をセットして、その膨張可能部分６を膨らませることができる。
【００３４】
以上、本発明の一実施例について説明したが、本発明は、上記実施例に何ら限定されるものでない。
例えば、上記実施例では、患者の体位の変化によって可撓性チューブ２が口元側に動いてしまう場合について説明したが、可撓性チューブ２に他の方向に移動する力が作用したとしてもカフ４は固定されたままになる。
【００３５】
さらに、上記実施例では、可撓性チューブ２が軸方向に直線的に移動する力が作用する場合について説明したが、これに変え、回転する方向や捻る方向などに力が作用したとしても同様にカフ４は固定されたままである。
【００３６】
尚、カフ４が軸方向に移動せずに固定されたままである為の可撓性チューブ２の移動量の範囲は、図２に示したように接合部分７の軸長Ｓと、その柔らかを適宜に調整する事で実現可能である。
【００３７】
さらに、上記実施例では、可撓性チューブ２の外周に１つのカフ４が設置されたカフ付きチューブについて説明したが、可撓性チューブ２の外周に２つのカフが設置された場合であっても本願は適用可能である。また、本発明は、分離肺換気装置に使用されるカフ付きチューブに何ら限定されない。カフを用いて外科的処置が行なわれる全てのカフ付きチューブに適用可能である。
【００３８】
さらに、本実施例のように膨張可能部分６の形状を、例えば、図４などに示したようにドーナッツ状等に形成すれば、カフの圧接範囲が短い場所であっても膨張するカフを設置することができ、接合部分７の軸長Ｓの調整により、チューブ２の移動量を一般的なカフに比べて著しく大きく確保することができる。
【符号の説明】
【００３９】
１            カフ付きチューブ
２            可撓性チューブ
３            孔
４            カフ
５            細管
５ａ          先端開口
６            膨張可能部分
７、７’      接合部分
１４          気管
１５          気管の内壁
【図１】
0005892727.tif 000002
【図２】
0005892727.tif 000003
【図３】
0005892727.tif 000004
【図４】
0005892727.tif 000005
【図５】
0005892727.tif 000006